(57)【要約】【課題】分包速度の低下を来さない検薬方法を提供する。【解決手段】錠剤分包装置４の錠剤フィーダの一つにカプセル状のトランスポンダを収容し、そのトランスポンダを分包時に錠剤の排出に先立って一つ排出させて分包し、薬剤分包の先頭にトランスポンダのみが分包された分包袋を設ける。そして、この分包されたトランスポンダに包装シートの移送路に配置したアンテナから送信信号を送信して分包情報を記憶させることにより、薬剤分包への分包情報の添付を短時間で行なって分包速度の低下を防ぐことができるようにする。一方、検薬時には、読み取り器４０から送信要求信号を送信してトランスポンダから分包情報を読み出し、その読み出した分包情報に基づいて分包された薬剤との照合を行なうことにより検薬する。【選択図】図１
2004238086.tif 000002
【特許請求の範囲】
【請求項１】
メモリ回路に記憶したデータを送信要求信号に応答して送信するトランスポンダに、薬剤分包の際、薬剤データと患者の認識データなどからなる分包情報を記憶させ、その分包情報を記憶させたトランスポンダを前記分包の行なわれた薬剤分包に取り付け、そのトランスポンダを取り付けた薬剤分包の検薬の際に、前記薬剤分包に対して発信手段から送信要求信号を発信し、その要求信号よって送信される分包情報を受信機により読取り、読取ったデータに基づいて分包された薬剤の照合を行なう薬剤分包の検薬方法。
【請求項２】
上記トランスポンダを薬剤分包に取付けた直後に、トランスポンダの記憶内容を読み出して書込まれたデータのチェックを行なうことを特徴とする請求項１に記載の薬剤分包の検薬方法。
【請求項３】
上記トランスポンダへの書込エラーが発生した際に、分包情報の再書込み、あるいは、上記分包情報をメモリ回路に記憶させたトランスポンダを新たに上記薬剤分包に取付けることを特徴とする請求項２に記載の薬剤分包の検薬方法。
【請求項４】
上記分包される薬剤が上記薬剤データ通りに分包されたかどうかを検出手段により監視し、その際、分包された薬剤が上記薬剤データ通りでない場合は、その旨のデータをトランスポンダに記憶させて、前記間違って薬剤が分包された薬剤分包に取り付けることを特徴とする請求項１乃至３のいずれかに記載の薬剤分包の検薬方法。
【発明の詳細な説明】
【技術分野】
【０００１】
この発明は、薬剤分包の分包速度の低下を伴わずに、分包された薬剤と処方箋に基づく分包情報との照合を行なうことのできる薬剤分包の検薬方法に関する。
【背景技術】
【０００２】
一般に、病院の薬局では、薬剤分包装置によって患者ごとに処方される薬剤を一回ごとの服用に適するように分包することが行なわれている。
【０００３】
その際、分包された薬剤が処方箋通りに分包されているかどうかの照合、いわゆる、検薬を行なって患者へ渡している。
【０００４】
ところで、このような検薬作業は、分包された薬剤と処方箋とを見比べ、実際に分包された一分包ごとの薬剤と処方箋リストに記載された薬剤とをチェックしなければならないため、時間のかかる煩雑な作業となっており、薬局窓口での待ち時間を長くする大きな要因の一つとなっている。
【０００５】
そのため、この問題を解決する一つの方法として、（特許文献１）には、錠剤分包装置に処方データを印字するプリンタを備え、そのプリンタによって例えば図２０に示すように、薬剤分包１の分割分包部と別に形成した処方内容表示部２に、錠剤種、錠剤数及び患者名などを印字し、その錠剤種、錠剤数及び患者名などを印字した処方内容表示部２を検薬の際に見ることにより、処方箋リストをいちいち見なくても検薬が行なえるようにしたものが開示されている。
【特許文献１】特公平３−３５１８１号公報
【発明の開示】
【発明が解決しようとする課題】
【０００６】
しかしながら、図２０に示す上記の薬剤分包１に設けた処方内容表示部２にプリンタによって処方内容を印字する方法では、プリンタの印字速度が薬剤の分包速度に比べて遅く、しかも、上記プリンタによって印字される処方内容表示部２を分包袋に設けたため、プリンタによる印字処理が終わるまで分包処理を完了することができないことから分包速度の低下を招く問題がある。特に、分包する薬剤が多種類にわたる場合など、印字するデータ数が多い場合には、極端な分包速度の低下を来す問題がある。
【０００７】
そこで、この発明の課題は、分包速度の低下を来さないで、容易に検薬が行なえる薬剤分包の検薬方法を提供することである。
【課題を解決するための手段】
【０００８】
上記の課題を解決するため、この発明では、メモリ回路に記憶したデータを送信要求信号に応答して送信するトランスポンダに、薬剤分包の際、薬剤データと患者の認識データなどからなる分包情報を記憶させ、その分包情報を記憶させたトランスポンダを前記分包の行なわれた薬剤分包に取り付け、そのトランスポンダを取り付けた薬剤分包の検薬の際に、前記薬剤分包に対して発信手段から送信要求信号を発信し、その発信した要求信号よって送信される分包情報を受信機により読取り、読取ったデータに基づいて分包された薬剤との照合を行なうという薬剤分包の検薬方法を採用したのである。
【０００９】
このとき、上記トランスポンダを薬剤分包に取付けた直後に、トランスポンダの記憶内容を読み出して書込まれたデータのチェックを行なうという薬剤分包の検薬方法を採用することもできる。
【００１０】
また、このとき、上記トランスポンダへの書込エラーが発生した際に、分包情報の再書込み、あるいは、上記分包情報をメモリ回路に記憶させたトランスポンダを新たに上記薬剤分包に取付けるという薬剤分包の検薬方法を採用することもできる。
【００１１】
さらに、このとき、上記分包される薬剤が上記薬剤データ通りに分包されたかどうかを検出手段により監視し、その際、分包された薬剤が上記薬剤データ通りでない場合は、その旨のデータをトランスポンダに記憶させて、前記間違って薬剤が分包された薬剤分包に取り付けるという薬剤分包の検薬方法を採用することもできる。
【発明の効果】
【００１２】
この発明は、以上のように構成し、メモリ回路に記憶したデータを送信要求信号に応答して送信するトランスポンダに、薬剤データと患者の認識データなどからなる分包情報を記憶させて分包時に薬剤分包に取り付け、その薬剤分包の検薬時に、発信手段から送信要求信号を発信し、その要求信号よって送信される上記分包情報を受信機により読み取って、読み取ったデータと分包された薬剤との照合を行なうようにしたことにより、分包情報の薬剤分包への添付を高速で行って分包速度のスピードアップが図れる。そのため、患者の待ち時間の短縮を図り、患者の負担を軽減できる。
【００１３】
その際、トランスポンダの記憶内容を読み出して書き込まれたデータのチェックを行うことにより、トランスポンダへの書き込みミスをチェックできるので、検薬ミスを防ぐことができる。
【００１４】
また、トランスポンダへの書込エラーが発生した際に、分包情報の再書込み、あるいは、上記分包情報をメモリ回路に記憶させたトランスポンダを新たに上記薬剤分包に取付けることにより、常に正しいデータを薬剤分包に付けることができるので、検薬時のミスを防いで検薬精度の向上を図ることができる。
【００１５】
さらに、分包された薬剤が上記薬剤データ通りに分包されたかどうかを薬剤分包を行なう際に検出し、その検出したデータが上記薬剤データ通りでない場合は、その旨をトランスポンダーに記憶させて薬剤分包に付け、その旨を検薬時に知らせるようにしたので、容易に検薬ミスを防ぐことができ、しかも、検薬作業の効率化と検薬作業の軽減を図ることができる。
【発明を実施するための最良の形態】
【００１６】
以下、この発明の最良の形態を図面に基づいて説明することにする。図１に第１実施形態として本願の薬剤分包の検薬方法に係る検薬システムを示す。
【００１７】
本システムは、トランスポンダ３に薬剤情報を記憶させ、その薬剤情報を記憶させたトランスポンダ３を薬剤分包１に自動的に取り付ける錠剤分包装置４と、その錠剤分包装置４によって分包された薬剤分包１を検薬するための検薬カウンタ５とで構成されている。  
【００１８】
トランスポンダ３は本実施形態の場合、図２に示すように、フェライトアンテナ６とＣ−ＭＯＳ・ＩＣチップ７及び電源用コンデンサ８とを硬質ガラス製のチューブ９に封入したもので代表的なカプセル剤とよく似た形状となっている。
【００１９】
また、上記トランスポンダ３のＩＣチップ７には、ＩＤ用ＲＡＭメモリと通信に必要な制御回路等が形成されており、送・受信電波によってメモリにコード化した分包情報の読み取り／書き込みが繰り返し行えるようになっている。さらに、このＩＣチップ７は、Ｃ−ＭＯＳ・ＩＣとすることによって極低消費電力化を図り、かつ、図３のブロック図に示すように電源用コンデンサ８を設け、受信電波から電力が得られるようにして無電源化を図っている。このため、このトランスポンダ３は、充電や電池の取り替えなどの電力の補充なしに繰り返し使用することができるようになっている。
【００２０】
錠剤分包装置４は、図４に示すように、入力制御装置１０と錠剤分包装置本体１１とからなっている。
【００２１】
入力制御装置１０は、マウスやキーボードなどの入力手段１２とディスプレイによる表示手段１３を備えた制御用コンピュータからなり、上記入力手段１２でもって表示手段１３に患者名、錠剤名や錠剤数等の分包情報を表示させて入力すると、その入力に応じた分包情報と制御信号を錠剤分包装置本体１１の制御装置へ出力するようになっている。
【００２２】
錠剤分包装置本体１１は、本実施形態の場合、箱型のケース内に案内用ローラとレールからなる上部案内装置１４と案内ローラとスライドレールからなる下部案内装置１５とを設け、その上部案内装置１４と下部案内装置１５によって左右に組み込んだ複数の引き出し体１６を扉で持って開放状態とされる開口から引き出せるようにした、いわゆる、引き出し式といわれるもので、上記各引き出し体１６の前後及び上下方向には、多数の錠剤フィーダ１７が配置されている。また、このように配置された上記引き出し体１６の各錠剤フィーダ１７は、錠剤分包装置本体１１に設けたインターフェイス回路を有する制御装置を介して入力制御装置１０と接続され、コントロールされるようになっている。
【００２３】
錠剤フィーダ１７は図５に示すように、モータベース１８とそのモータベース１８に着脱自在に取り付けられるカートリッジ容器１９とからなり、上記カートリッジ容器１９内にロータ２０を組み込み、その組み込んだロータ２０をモータベース１８に支持されたモータＭで回転してカートリッジ容器１９内に収納された錠剤がロータ２０の外周に設けたポケット２１に入り込むようにして、そのポケット２１内の錠剤をカートリッジ容器１９及び引き出し体１６の支持台に形成した排出口２２から一つづつ排出するようになっている。
【００２４】
また、本形態では、上記排出口２２に図５のように、発光素子と受光素子とを対向させた光センサＳによる検出手段を設け、そのセンサＳを制御装置と接続することにより、入力制御装置１０でもって制御信号に基づく排出が行われたかどうかを監視できるようになっている。
【００２５】
因みに、上記光センサＳの受光素子はラインセンサであって、排出される錠剤の大きさを検出して排出される錠剤が正規の大きさのものか、あるいは錠剤が壊れてできた断片であるかの判別ができるようになっている。
【００２６】
一方、上記排出口２２から排出された錠剤は、上記錠剤フィーダ１７の排出口２２に連設された引き出し体１６の上下方向に延びる排出路２３によって、その下方に設けた共通のホッパ２４内に排出されたのち、ホッパ２４下方に設けた包装装置２５により分包処理される。
【００２７】
上記包装装置２５は、図６（ａ）に示すように、傾斜させた熱融着可能な包装シート２６の移送路に設けられた三角形のフォルダ２７とその三角形のフォルダ２７の下流側にシュート２８を介して設けられたシール装置２９とからなっている。
【００２８】
上記フォルダ２７は、図６（ａ）に示すように、上記シート２６と当接し、上記シート２６を長さ方向に二つ折りにする。また、上記フォルダ２７の下流側に設けたシュート２８は、上記ホッパ２４先端に取り付けられたもので、ホッパ２４に排出された錠剤を上記フォルダ２７によって二つ折りされた包装シート２６の折り目間に排出する。
【００２９】
シール装置２９は、シート２６の幅方向加熱用の一対の横加熱体３０とその横加熱体３０の下流側に配置されたシート２６の両側縁部加熱用の縦加熱体３１とからなり、各加熱体３０、３１はそれぞれサーボモータと接続されて各々単独に回転駆動されるようになっている。そのため、シール装置２９は、上記シュート２８によって錠剤の排出された包装シート２６を縦加熱体３１によって搬送しながらシート２６の両側縁をシールし、同時に、横加熱体３０によってシート２６の長さ方向のシールを行えるようになっている。
【００３０】
このシール装置２９の下流には、包装シート２６の移送路に沿ってトランスポンダ３とのデータの読み取り／書き込み用のアンテナ３２が設けられている。
【００３１】
このアンテナ３２は、例えば、電線を巻いたゲートアンテナあるいはフェライトコアを用いたロッドアンテナなどを用いることができるようにして、包装速度や設置箇所のノイズレベルに応じて最適なものを選べるようになっている。
【００３２】
また、このアンテナ３２は、読み取り／書き込み器３３を介して入力制御装置１０と接続されている。
【００３３】
読み取り／書き込み器３３は、図３に示すようなＲＦモジュール３４とコントロールモジュール３５とで構成されている。コントロールモジュール３５は、送／受信用デコード回路を有し、書き込み時には、入力制御装置１０から送られる分包情報からトランスポンダ３との間で決められた所定のデータ書き込み用の通信手順に従った送信信号を作成する。そして、その作成した送信信号をＲＦモジュール３４が所定の周波数の例えば、ＦＳＫ信号に変調してアンテナ３２から送信する。一方、読み取り時には、アンテナ３２が受信したトランスポンダ３からの送信信号をＲＦモジュール３４が復調し、その復調した信号をコントロールモジュール３５がデジタル信号に変換して入力制御装置１０へ出力する。
【００３４】
このアンテナ３２の下流にはカッタ３６を設けて、加熱シールされた包装シート２６にミシン目を入れるようになっており、このようにして錠剤を連続分包した薬剤分包１の一例を図６（ｂ）に示す。
【００３５】
他方、検薬カウンター５は図１に示すように、検薬台３８に設けられた発信／受信用アンテナ３９と、受信機として機能する読み取り器４０及びその受信結果を表示するための出力端末用コンピュータ４１とで構成されている。
【００３６】
発信／受信用アンテナ３９は、錠剤分包装置４に設けたゲートアンテナあるいはロッドアンテナと同じものでよく、そのアンテナの種類は設置状況に応じて適宜に決められる。  
【００３７】
読み取り器４０は図７に示すように、ＲＦモジュール３４とコントロールモジュール３５とからなり、コントロールモジュール３５は、マイコンを内蔵し、読み取り器４０の通信制御を行なって次のような手順によりトランスポンダ３からデータを読み取る。
【００３８】
１．ＲＦモジュール３４からトランスポンダ３に対して送信要求信号を発信して応答用エネルギーを与える。すると、トランスポンダ３は、送信要求信号に応答してデータの送信を行うので、
２．上記送信状態から受信状態に切り替わってトランスポンダ３からの信号を受信する。
３．受信信号を受信するとデジタル信号に変換（エンコード）し、出力端末用コンピュータ４１に伝送する。
【００３９】
一方、出力端末用コンピュータ４１は、錠剤に関するデータベースを有しており、上記読み取り器４０から伝送された分包情報に基づいて患者名、錠剤名及び錠剤数などの分包情報を画面上に表示する。
【００４０】
このとき、出力端末用コンピュータ４１のデータベースに錠剤のグラフィックデータを記憶させておくことによって、図８に示すように、錠剤名とともに錠剤の形状、色などをビジュアル表示させるようにすれば、検薬が容易に行え、しかも、検薬時における錠剤の見間違いなどのミスを少なくすることができるので、検薬作業の効率化と検薬精度の向上を図ることができる。
【００４１】
この形態は以上のように構成され、次に、その作用を述べることによって薬剤分包の検薬方法を説明することとする。
【００４２】
この錠剤分包装置では、上記のようにカプセル型のトランスポンダ３を用いることにより、例えば図４に示すように、錠剤フィーダ１７の一つ１７’をトランスポンダ３排出用として分包された薬剤分包１に分包情報を取り付ける。
【００４３】
すなわち、分包情報が入力制御装置１０に入力されると、入力制御装置１０は錠剤分包装置本体１１の制御装置に制御信号を伝送し、トランスポンダ３の入れられた錠剤フィーダ１７’からトランスポンダ３を一つ包装装置２５へ排出して、トランスポンダ３のみを分包した分包を作る。そうした後、入力制御装置１０は、上記情報に基づいて各錠剤フィーダ１７（トランスポンダ３を収容した錠剤フィーダ１７’以外）を作動し、上記分包に連続させて錠剤の分包を作る。同時に、読み取り／書き込み器３３に上記情報を伝送し、図６（ａ）に示すように、移送路を分包されて移動するトランスポンダ３に対してアンテナ３２から上記データを送信して書き込むことにより、薬剤分包１に分包情報を取り付ける。このため、薬剤分包１に対する分包情報の添付は非常に高速で行える。その分包された状態を図９に示す。
【００４４】
また、入力制御装置１０は、このようにトランスポンダ３に情報を書き込んだ直後に、トランスポンダ３に対して送信要求信号を送信し、その送信要求信号に対するトランスポンダ３からの送信信号を受信し、書き込んだデータのチェックを行う。
【００４５】
すなわち、送信要求信号に応答してトランスポンダ３が送信する分包情報を読み込んで、その読み込んだデータと先程書き込んだデータとを照合し、データが正しく書き込まれているかどうかをチェックする。
【００４６】
このように、トランスポンダ３に正しくデータが書き込まれたかどうかを確認することにより、検査精度の向上が図れ、しかもトランスポンダ３の故障のチェックも行うことができる。
【００４７】
このとき、両データが一致した場合は、そのまま分包処理を継続する。また、両データが一致しない場合は、上記トランスポンダ３に対して再書き込みを実行することにより、正しいデータを記憶させる。
【００４８】
そして、データを再書き込みした上記トランスポンダ３に対して再度送信要求信号を送信し、トランスポンダ３が記憶したデータを読み取って、読み取ったデータと書き込んだデータとの照合を行う。この際、正しいデータが記憶されていない場合は、誤ったデータを記憶するトランスポンダ３に代えて、薬剤分包１に正しいデータを記憶した新しいトランスポンダ３を付け直す。
【００４９】
このトランスポンダ３の付け直しは、例えば上記誤ったデータを記憶したトランスポンダ３の取り付けられた薬剤分包１の分包終了時に、トランスポンダ３を収容した錠剤フィーダ１７’から新しいトランスポンダ３を排出させて、上記薬剤分包１の最後尾に、新しいトランスポンダ３のみを分包した分包袋を図６（ｂ）に示すように作る。そして、その分包されて移送路を移動する最後尾のトランスポンダ３に対して上記データの書き込みを行う。また、このとき、データを書き込んだ前記最後尾のトランスポンダ３に対して送信要求信号を送信してデータの照合を行うことは当然である。そして、それでも正しいデータが書き込めないときは、分包を中止して異常を表示する。
【００５０】
一方、上記のように、トランスポンダ３に分包情報を書き込んだ入力制御装置１０では、分包中に各錠剤フィーダ１７に設けた光センサＳによって錠剤の排出を監視しており、このとき、処方箋に記載された以外の錠剤が排出された場合や錠剤切れにより必要な錠剤が排出されない場合、あるいは逆に、錠剤の二重排出による既定量以上の排出が行われた場合や錠剤フィーダ１７内で壊れた錠剤の破片の混入などがあった場合など、錠剤フィーダ１７からの錠剤の排出異常を検出すると、その分包の終了時に、トランスポンダ３を収容した錠剤フィーダ１７’から新たにトランスポンダ３を排出させて分包を作り、そして、その分包されて移送路を移動する前記トランスポンダ３に対し、例えば図１０に示すような排出異常を表示するためのメッセージをデータとして記憶させる。
【００５１】
ところで、このようにトランスポンダ３が分包された薬剤分包１の検薬方法は、トランスポンダ３の分包された薬剤分包１を検薬カウンタ３７の検薬台３８に近づけると、検薬台３８の読み取り器４０からの送信要求信号にトランスポンダ３が応答して分包情報が送信され、その送信された信号を読み取り器４０が読み取って出力端末用コンピューター４１の表示装置に表示する。
【００５２】
このため、その表示装置に表示された分包情報と実際に分包された錠剤とを照合することによって検薬作業を迅速に行うことができる。
【００５３】
この検薬時に、検薬を行う薬剤分包１に、トランスポンダ３の分包された分包が２つ以上ある場合は、上述したように、最後尾に分包されたトランスポンダ３が正しいデータを記憶したトランスポンダ３であることから、その分包されたトランスポンダ３を検薬台３８に近づけるようにすれば、その近づけたトランスポンダ３の記憶する分包情報を読み取って上記のように表示装置に表示される分包情報と実際に分包された錠剤とを照合して検薬を行えばよい。
【００５４】
また、上記トランスポンダ３が排出異常のため分包されたトランスポンダ３である場合は、トランスポンダ３の分包を検薬台３８に近づけると、読み取り器４０がトランスポンダ３の記憶するデータを読み取って、例えば図１０に示すような排出異常を知らせるためのメッセージが表示装置に表示される。
【００５５】
そのため、この表示されるメッセージにより、排出異常によって分包された薬剤分包１がすぐに判り、排除することができるので、検薬ミスを簡単に防ぐことが出来る。しかも、このことを検薬を行わずに教えてくれるので、検薬作業の効率化と検薬作業の軽減も図ることが出来る。
【００５６】
なお、この形態では、上記メッセージを表示装置により表示するものを示したが、これに限定されるものではなく、メッセージを音声や警告音によって知らせるようにしてもよい。
【００５７】
検薬後は、薬剤分包１からトランスポンダ３が分包された分包を取り外して患者に渡す。このとき、取り外したトランスポンダ３は、上記トランスポンダ３を収容する錠剤フィーダ１７’に戻して繰り返し使用するようにすれば、検薬に要する費用を低コストにすることができる。
【００５８】
また、この際、この分包情報をシールに印刷し、トランスポンダ３を取り去った薬剤分包１に張りつけるようにすれば、患者自身によっても正しい薬剤が分包されているかどうかの照合ができるようにすることができる。
【００５９】
なお、この実施形態では、図９に示すように、トランスポンダ３を薬剤分包１の先頭に分包するようにしたが、これに限定されるものではなく、薬剤分包１のどの部分に分包してもよい。
【００６０】
また、トランスポンダ３は、カプセル型のものを用いたが、この形状に限定されることはなく、これ以外にもタブレット型や錠剤型など、どのような形状のものでもよい。
【００６１】
さらに、トランスポンダ３を排出する錠剤フィーダ１７’には、この実施形態の場合、引き出し体１６の錠剤フィーダ１７の一つを転用したが、このように、引き出し体１６の錠剤フィーダ１７を転用するのではなく、これとは別に、例えば図４の１７”に示すように、錠剤分包装置本体４にトランスポンダ専用の錠剤フィーダ１７”を設けるようにしてもよい。その際、トランスポンダ３のホッパ２４への排出には、排出路を別に設けるようにすればよい。
【実施例１】
【００６２】
図１１に実施例１として、錠剤分包装置本体１１が、錠剤フィーダ１７を円筒形に配置した、いわゆる、ドラム式の場合に本発明を適用した場合を示す。
【００６３】
すなわち、この場合も先の実施形態の場合と同じく、錠剤フィーダ１７の一つ１７’をトランスポンダ３の排出用に転用し、包装装置２５内の包装シート２６の移送路にアンテナ３２と読み取り／書き込み器（図示せず）を設けることによって本願発明の薬剤分包１の検薬方法を行えるようにしたものである。また、検薬カウンタ３７や錠剤分包装置本体１１のこの発明に係る他の構成例えば、入力制御装置１０などは第１実施形態と同様なので、その作用及び効果の説明は省略することとする。
【００６４】
なお、図１２に実施例１の他の態様として円筒形に配置された錠剤フィーダ１７とは別に、トランスポンダ３の排出専用の錠剤フィーダ１７’を錠剤分包装置本体１１に設けたものを示す。他の構成は実施例１と同じであるので、その説明は省略することにする。
【実施例２】
【００６５】
図１３及び図１４に実施例２として、ケースに仕切り板により区分されたフィーダ収納部４２を設け、その収納部４２によってホッパー２４の上方に複数の錠剤フィーダ１７を設置した錠剤分包装置本体１１に、本発明を適用したものを示す。
【００６６】
この実施例では、図１４に示すように、手前の一個をトランスポンダ３排出用の錠剤フィーダ１７’としてある。
【００６７】
また、各錠剤フィーダ１７、１７’は、実施形態で述べたのと同じく、モータベース１８とカートリッジ容器１９とからなり、これらの錠剤フィーダ１７、１７’は、その形状を細長いスリムな形状とすることにより、多数の錠剤フィーダ１７、１７’をホッパー２４上に配置できるようにして多種類の錠剤の分包ができるようにしてある。
【００６８】
このように配置された錠剤フィーダ１７、１７’はケース内の制御装置（図示せず）を介して入力制御装置１０と接続され、先の形態と同様に、処方箋情報に基づいて各錠剤フィーダ１７、１７’を作動するようになっている。
【００６９】
一方、ホッパー２４の下方には、シール装置２９、アンテナ３２、読み取り／書き込み器３３、カッタ装置３６とからなる包装装置２５が設けられ、その包装装置２５で、錠剤フィーダ１７、１７’からホッパー２４の開口に排出された錠剤を分包するようになっており、分包の際に先の形態と同様、トランスポンダ３を排出する事により、薬剤分包１にトランスポンダ３を分包することができるようになっている。
【００７０】
なお、図中符号Ｂは長方形状に形成されたホッパー２４の排出口に設けられたコンベアで、排出された錠剤を中央の包装装置２５に搬送するものである。
【００７１】
また、検薬カウンタ３７については、先の実施形態及び実施例１と同じであり、他の構成及び作用についても先の実施形態及び実施例１と同じであるので、その説明は省略することにする。
【００７２】
また、この錠剤分包装置４の他の態様として、トランスポンダ３の排出用の錠剤フィーダ１７’を図１３の鎖線に示すように、ケースの側部に設け、そのケースの側部の錠剤フィーダ１７’から排出されるトランスポンダ３をケースに貫通する排出路２３を設けてケース内部の上記ホッパー２４に落下させるようにしたものを示す。
【００７３】
なお、この場合も他の構成及び作用については実施例２と同様であることは言うまでもない。
【実施例３】
【００７４】
図１５に実施例３として、ケースの上面に散薬の投入口４３と複数の錠剤投入口４４とを設け、分包時に前記散薬の投入口４３に分包するために必要な散薬の総量を投入すると共に、錠剤の投入口４４のそれぞれに一分包分ごとの錠剤をセットすることにより、そのセット錠剤と散薬とを順に下方に設けた包装装置２５に落下させて分包する、いわゆる、分割分包器４５に本願の検薬方法を適用できるようにしたものを示す。
【００７５】
すなわち、このものは、包装装置２５の包装シート２６の移送路に、アンテナ３２と読み取り／書き込み器３３とを備えたものである。
【００７６】
この分割分包器４５の場合、上述したトランスポンダ３を錠剤に代えて先頭あるいは最後に錠剤を排出する錠剤投入口４３にセットし、先頭の薬剤分包１あるいは最後尾の薬剤分包１の分包に封入することによって、薬剤分包１にトランスポンダ３を取り付ける。
【００７７】
検薬カウンタ３７については、先の形態及び実施例１と同じであり、また、他の構成及び作用についても先の形態及び実施例１と同じであるため、その説明は省略することにする。
【００７８】
なお、さらに図１６に実施例３の他の態様として、上記分割分包器４５にトランスポンダ３の排出専用の錠剤フィーダ１７’を設けたものを示す。
【００７９】
このものの場合、トランスポンダ３の排出専用の錠剤フィーダ１７”を設けたことにより、分包ごとにトランスポンダ３の錠剤投入口４４へのセットを行わなくともよいため、分包作業の効率アップを図ることができる。
【実施例４】
【００８０】
図１７に実施例４として、ターンテーブル５１上に、一処方ごとの散薬を入れる複数の薬剤容器５０を配置し、その薬剤容器５０の配置されたターンテーブル５１を回転させて各薬剤容器５０を順次投入位置へ移動し、薬剤容器５０を傾けて、その投入位置の下方に設けたホッパ５２へ散薬を投入し、円盤形分配器によって１分包ずつ分配して包装装置２５により分包する、いわゆる、散薬の自動分包機に本願の検薬方法を適用できるようにしたものを示す。
【００８１】
すなわち、このものは、包装装置２５の包装シート２６の移送路にアンテナ３２と読み取り／書き込み器３３とを設けることにより、実施例２と同じように、散薬を投入位置へ最初あるいは最後に投入する薬剤容器５０に、薬剤に代えてトランスポンダ３をセットすることによってトランスポンダ３を分包できるようにしたものである。
【００８２】
また、検薬カウンタ５及び入力制御装置１０については先の実施形態のものと同じであればよいので、その作用効果については説明を省略することにする。
【００８３】
また、実施例４の他の態様として、図１７の符号１７”に示すように散薬の自動分包機に、トランスポンダ３の排出用の専用フィーダ１７’を設けてもよい。
【実施例５】
【００８４】
図１８に、実施例５として、散薬を連続して所定量排出することのできる複数の散薬フィーダ５４をターンテーブル５１に配置し、そのターンテーブル５１を回転させて各散薬フィーダ５４を順次排出位置へ移動し、排出位置下方に設けたホッパ５２へ散薬を排出し、円盤形分配器によって１分包ずつ分包して包装装置２５で分包する、いわゆる、散薬の連続分包器に、本願の検薬方法を適用できるようにしたものを示す。
【００８５】
すなわち、このものは、包装装置２５の包装用シート２６の移送路にアンテナ３２と読み取り／書き込み器３３とを設け、先の実施形態と同じように、散薬フィーダ５４の一つをトランスポンダ３の排出用のフィーダ５４’とすることにより、そのフィーダ５４’から一処方の分包を行うごとにトランスポンダ３を排出させて、薬剤分包１に分包する（取り付ける）というものである。
【００８６】
また、検薬カウンタ５及び入力制御装置４などについては．先の形態と同様であるため、その作用効果については説明を省略する。
【００８７】
図１８に実施例５の他の態様として、図１８の符号１７”に示すように、散薬の連続分包器にトランスポンダ３の排出用の専用フィーダ１７”を設けたものを示す。
【００８８】
ところで、この検薬方法は、これまで述べてきたような錠剤や散薬などだけでなく、例えば図１９の実施例６に示すように、薬剤分包を用いてアンプル５５や水薬を分包するばあいにも適用できることは当然である。また、その場合、トランスポンダ３はカプセル形や錠剤形に限定されるものではない。
【００８９】
なお、上記形態及び実施例では、分包装置によってトランスポンダ３を薬剤分包１に分包する場合について示したが、これ以外にも、この方法は、トランスポンダ３を手作業によって薬剤分包１に取り付けることもできる。その場合、例えばトランスポンダ３をカード状として粘着テープで薬剤分包１に張りつけるなどの方法を取ればよい。
【００９０】
また、上記形態及び実施例では、トランスポンダ３に電波を用いて応答するものを示したが、これに限定されることはなく、例えばトランスポンダ３のアンテナ６に代えて、光送受信器を用いるとともに、その光送受信器とデータのやり取りを行う光送受信器を移送路のアンテナ３６に代えて設けることにより、光信号を用いてデータの授受を行うようにしてもよい。
【図面の簡単な説明】
【００９１】
【図１】実施形態を示す斜視図
【図２】トランスポンダの一部切欠斜視図
【図３】実施形態のトランスポンダと書き込み器のブロック図
【図４】実施形態の錠剤分包装置の正面図
【図５】錠剤フィーダの断面図
【図６】包装装置の縦断面図
【図７】トランスポンダと読み取り器のブロック図
【図８】端末用コンピュータの表示画面を示す正面図
【図９】実施形態の薬剤分包の正面図
【図１０】実施形態のメッセージを説明する作用説明図
【図１１】実施例１の正面図
【図１２】実施例１の他の態様を示す断面図
【図１３】実施例２の斜視図
【図１４】実施例２の内部構造を説明するための模式図
【図１５】実施例３の正面図
【図１６】実施例４の正面図
【図１７】実施例５の正面図
【図１８】実施例５の他の態様を示す正面図
【図１９】実施例６を説明するための作用説明図
【図２０】従来の薬剤分包の正面図
【符号の説明】
【００９２】
１  薬剤分包
３  トランスポンダ
３３  書き込み器
４０  読み取り器
Ｓ  光センサ
【図１】
2004238086.tif 000003
【図２】
2004238086.tif 000004
【図３】
2004238086.tif 000005
【図４】
2004238086.tif 000006
【図５】
2004238086.tif 000007
【図６】
2004238086.tif 000008
【図７】
2004238086.tif 000009
【図８】
2004238086.tif 000010
【図９】
2004238086.tif 000011
【図１０】
2004238086.tif 000012
【図１１】
2004238086.tif 000013
【図１２】
2004238086.tif 000014
【図１３】
2004238086.tif 000015
【図１４】
2004238086.tif 000016
【図１５】
2004238086.tif 000017
【図１６】
2004238086.tif 000018
【図１７】
2004238086.tif 000019
【図１８】
2004238086.tif 000020
【図１９】
2004238086.tif 000021
【図２０】
2004238086.tif 000022
【手続補正書】
【提出日】平成16年6月14日(2004.6.14)
【手続補正２】
【補正対象書類名】特許請求の範囲
【補正対象項目名】全文
【補正方法】変更
【補正の内容】
【特許請求の範囲】
【請求項１】
薬剤を処方箋情報に従って包装する薬剤包装装置において、複数の種類の薬剤を収納する複数の薬剤フィーダと、トランスポンダを収納するトランスポンダ収納フィーダを備え、薬剤を処方箋情報に従って包装すると共に、トランスポンダを収納するトランスポンダ収納フィーダからトランスポンダを排出して前記包装体と一体に繋げてトランスポンダを包装し、その包装したトランスポンダに、薬剤情報を書込む、書込み装置を備えることを特徴とする薬剤包装装置。
【請求項２】
書き込んだ薬剤情報を再度読み取る読み取り装置と、読み取った薬剤を処方箋情報と、書き込んだ薬剤情報を照合する照合手段を備えることを特徴とする請求項１に記載の薬剤包装装置。
【請求項３】
前記照合手段において、正しいデータが記憶されていない場合、前記トランスポンダ収納フィーダからトランスポンダを排出して前記包装体と一体に繋げてトランスポンダを包装し、正しいデータが記憶されるトランスポンダを付け直すことを特徴とした請求項１又は２に記載の薬剤包装装置。
【請求項４】
前記付け直したトランスポンダに書き込んだ薬剤情報を再度読み取る読み取り装置と、読み取った薬剤情報と、書き込んだ薬剤情報を照合する照合手段を備え、正しいデータが記憶されていない場合、異常を表示する表示手段を備えることを特徴とする請求項３に記載の薬剤包装装置。
【請求項５】
トランスポンダは、錠剤に似せた形状の固形形状からなることを特徴とする請求項１〜４のいずれかに記載の薬剤包装装置。
【請求項６】
薬剤情報を書込む、書込み装置を包装経路に配置したことを特徴とする請求項１〜５のいずれかに記載の薬剤包装装置。
【請求項７】
薬剤情報を再度読み取る読み取り装置を包装経路に配置したことを特徴とする請求項１〜６のいずれかに記載の薬剤包装装置。
【請求項８】
錠剤フィーダからの錠剤の排出異常を検出すると、新たにトランスポンダを排出させて分包を作り、排出異常を表示するためのメッセージデータを記憶することを特徴とする請求項１〜７のいずれかに記載の薬剤包装装置。
【請求項９】
前記異常は、処方箋に記載された以外の錠剤が排出された場合であることを特徴とする請求項８に記載の薬剤包装装置。
【請求項１０】
前記異常は、錠剤切れにより必要な錠剤が排出されない場合であることを特徴とする請求項８に記載の薬剤包装装置。
【請求項１１】
前記異常は、錠剤の二重排出による既定量以上の排出が行われた場合であることを特徴とする請求項８に記載の薬剤包装装置。
【請求項１２】
前記異常は、壊れた錠剤の破片の混入などがあった場合であることを特徴とする請求項８に記載の薬剤包装装置。
【請求項１３】
散薬を処方箋情報に従って包装する薬剤包装装置において、ホッパへ散薬を投入し、円盤形分配器によって１分包ずつ分配して散薬を包装装置に供給する分配装置、又は、散薬の投入口に分包するために必要な散薬の総量を投入し、分割分包器を通じて散薬とを順に下方に設けた包装装置に供給する分割装置と、トランスポンダを収納するトランスポンダ排出用の専用フィーダを備え、散薬を処方箋情報に従って包装すると共に、トランスポンダ排出用の専用フィーダからトランスポンダを排出して前記包装体と一体に繋げてトランスポンダを包装し、その包装したトランスポンダに、薬剤情報を書込む、書込み装置を備えることを特徴とする薬剤包装装置。
【請求項１４】
薬剤を処方箋情報に従って包装した薬剤を検薬するシステムにおいて、複数の種類の薬剤を収納する複数の薬剤フィーダと、トランスポンダを収納するトランスポンダ収納フィーダを備え、薬剤を処方箋情報に従って包装すると共に、トランスポンダを収納するトランスポンダ収納フィーダからトランスポンダを排出して前記包装体と一体に繋げてトランスポンダを包装し、その包装したトランスポンダに、薬剤情報を書込む、書込み装置を備えた薬剤包装装置と、薬剤の監査作業を行う検薬台と、前記検薬台に包装した薬剤に付与したトランスポンダを読み取る読み取り装置を備え、前記検薬台で、トランスポンダに記憶したデータを読み取ると、包装薬剤の処方データを表示する表示装置を備えたことを特徴とする検薬システム。
【請求項１５】
出力端末用コンピュータと、データベースに錠剤のグラフィックデータを錠剤名とともに記憶する記憶手段と、トランスポンダに記憶したデータを読み取ると、前記データベースから、錠剤のグラフィックデータを錠剤名とともに表示することを特徴とする請求項１５に記載の検薬システム。
【請求項１６】
排出異常を記録したトランスポンダと、検薬台で、トランスポンダを読み取ると、排出異常を知らせるためのメッセージが表示装置に表示することを特徴とする請求項１５又は１６に記載の検薬システム。
【請求項１７】
複数の検薬情報が付与された薬剤包装体における最後尾に分包されたトランスポンダを照合することを特徴とする請求項１５〜１７のいずれかに記載の検薬システム。
【請求項１８】
メッセージを音声や警告音によって知らせるようにしたことを特徴とする請求項１５〜１８のいずれかに記載の検薬システム。
【請求項１９】
薬剤を処方箋情報に従って包装した薬剤を検薬する方法において、トランスポンダを収納するトランスポンダ収納フィーダからトランスポンダを排出してトランスポンダを包装し、これと繋げて、複数の種類の薬剤を収納する複数の薬剤フィーダから薬剤を包装する包装工程と、トランスポンダに、薬剤情報を書込む、書込み工程と、検薬台で、トランスポンダを読み取る読み取り工程と、検薬に必要な検薬情報を表示する表示工程と、検薬終了後、トランスポンダを包装した袋を切り取り回収する工程とからなる薬剤を検薬する薬剤の検薬方法。
【請求項２０】
前記薬剤情報を書込む、書込み工程後に書き込みデータの内容が正しいかチェックするチェック工程を設けたことを特徴とする請求項２０に記載の薬剤の検薬方法。
【請求項２１】
前記薬剤情報を書込む、書込み工程後に書き込みデータの内容に誤りがある場合、再付与工程を設けたことを特徴とする請求項２０又は２１に記載の薬剤の検薬方法。
【請求項２２】
前記再付与工程後に書き込みデータの内容が正しいかチェックするチェック工程を設けたことを特徴とする請求項２２に記載の薬剤の検薬方法。
【請求項２３】
前記再付与工程後に書き込みデータの内容に誤りがある場合、異常を表示する工程を設けたことを特徴とする請求項２３に記載の薬剤の検薬方法。
【請求項２４】
前記包装工程において、包装中の異常を検出すると、トランスポンダを収納するトランスポンダ収納フィーダからトランスポンダを排出してトランスポンダを包装し、包装中の異常を表示する工程を設けたことを特徴とする請求項２０〜２４のいずれかに記載の薬剤の検薬方法。